(57)【要約】【課題】一膳箸がばらけるのを防止しつつ、一膳箸を収納することができる箸袋を提供する。【解決手段】細長状の表てシート部１と裏シート部２から成り、裏シート部２が表てシート部１の上端縁３よりも上方へ延伸状の延伸部４を有するように上方開口袋状とした箸袋に於て、延伸部４に、平行な２本の切断線５，５によって箸Ｃを保持するための箸保持用帯部６が形成されている。切断線５が長手方向に対して垂直である。２本の切断線５，５の間隔寸法Ｗを、５mm≦Ｗ≦15mmに設定する。【選択図】図１
0003121043.tif 000002
【実用新案登録請求の範囲】
【請求項１】
細長状の表てシート部（１）と裏シート部（２）にて上方開口袋状とした箸袋に於て、上記裏シート部（２）に、平行な２本の切断線（５）（５）によって箸（Ｃ）を保持するための箸保持用帯部（６）が形成されていることを特徴とする箸袋。
【請求項２】
細長状の表てシート部（１）と裏シート部（２）から成り、上記裏シート部（２）が上記表てシート部（１）の上端縁（３）よりも上方へ延伸状の延伸部（４）を有するように上方開口袋状とした箸袋に於て、上記延伸部（４）に、平行な２本の切断線（５）（５）によって箸（Ｃ）を保持するための箸保持用帯部（６）が形成されていることを特徴とする箸袋。
【請求項３】
切断線（５）が長手方向に対して垂直である請求項１又は２記載の箸袋。
【請求項４】
２本の切断線（５）（５）の間隔寸法（Ｗ）を、５mm≦Ｗ≦15mmに設定した請求項３記載の箸袋。
【考案の詳細な説明】
【技術分野】
【０００１】
本考案は、箸袋に関する。
【背景技術】
【０００２】
従来、飲食店等で使用される使い捨ての箸は、清潔に保管するために箸袋に収納される（例えば、特許文献１参照）。
【０００３】
しかし、二本箸───すなわち、１本１本が独立している箸（いわゆる一膳箸）───を収納すると１本１本の箸がばらけてしまうという問題があり、２本の箸が一体状とされた割り箸が専ら収納されていた。ところが、割り箸は、所定の形状に割り損なう虞れがあった。また、割り箸を割ったときに、とげが出て怪我の要因となる虞れがあった。
【特許文献１】特開２００４−１６８００号公報
【考案の開示】
【考案が解決しようとする課題】
【０００４】
解決しようとする課題は、二本箸（一膳箸）を従来の箸袋に収納すると、それぞれの箸がばらけてしまう点である。
【課題を解決するための手段】
【０００５】
そこで、本考案に係る箸袋は、細長状の表てシート部と裏シート部にて上方開口袋状とした箸袋に於て、上記裏シート部に、平行な２本の切断線によって箸を保持するための箸保持用帯部が形成されているものである。
また、細長状の表てシート部と裏シート部から成り、上記裏シート部が上記表てシート部の上端縁よりも上方へ延伸状の延伸部を有するように上方開口袋状とした箸袋に於て、上記延伸部に、平行な２本の切断線によって箸を保持するための箸保持用帯部が形成されているものである。
【０００６】
また、切断線が長手方向に対して垂直である。
また、２本の切断線の間隔寸法Ｗを、５mm≦Ｗ≦15mmに設定したものである。
【考案の効果】
【０００７】
本考案の箸袋によれば、箸Ｃの収納状態に於ける姿勢を安定させることができる。特に、二本箸（一膳箸）がばらけるのを防止しつつ、二本箸をそろえた状態で収納することができる。
【考案を実施するための最良の形態】
【０００８】
図１は、本考案の第１の実施の形態の使用状態（箸Ｃの収納状態）を示す。図２は、図１のＡ−Ａ断面を示す。図３は、図１の平面図を示す。紙製箸袋Ｈに、竹製、木製、又は、合成樹脂製等の箸Ｃ───特に、二本箸Ｎ（すなわち１本１本の箸Ｎ0 が独立しているいわゆる一膳箸）───が収納されている。
【０００９】
図４に示すように、箸袋Ｈは、細長状の表てシート部１と裏シート部２にて上方開口袋状とされている。具体的には、箸袋Ｈは、細長状の表てシート部１と裏シート部２から成り、裏シート部２が表てシート部１の上端縁３よりも上方へ延伸状の延伸部４を有するように上方開口袋状とされている。そして、裏シート部２の延伸部４に、平行な２本の切断線５，５によって箸Ｃを保持するための箸保持用帯部６が形成されている。
【００１０】
切断線５が長手方向（図４の矢印Ｘ方向）に対して垂直である。
２本の切断線５，５の間隔寸法Ｗが、５mm≦Ｗ≦15mmに設定されている。間隔寸法Ｗがこの範囲に設定されているので、収納状態での箸Ｃの姿勢が安定する。間隔寸法Ｗが、Ｗ＜５mmの場合、二本箸Ｎ（図１〜図３参照）を収納すると箸袋Ｈの中で二本箸Ｎの姿勢が安定せずぐらついたり抜け落ちたりする虞れがある。15mm＜Ｗの場合、箸Ｃを差込みにくい。
【００１１】
切断線５の長さ寸法Ｌは、箸Ｃの形状寸法に対応して適宜設定する。例えば、10mm≦Ｌ≦20mmに設定する。Ｌ＜10mmの場合、通常の太さの箸Ｃを差込むと、切断線５の近傍が破損する虞れがある。20mm＜Ｌの場合、箸Ｃが収納状態でぐらついたり抜け落ちたりする虞れがある。
【００１２】
図１〜図３に戻って、箸Ｃの収納方法を説明すると、箸保持用帯部６及び表てシート部１が箸Ｃの手前になるように、箸Ｃを箸袋Ｈに収納する。
【００１３】
図５は、第２の実施の形態を示す。２本の切断線５，５のうち下側の切断線５の一部７が、表てシート部１の裏側に───すなわち、正面視に於て表てシート部１の背後に隠れるように───配設されている。その他の構成は、第１の実施の形態と同様である。
【００１４】
なお、本考案は、設計変更可能であって、例えば、２本の切断線５，５のうち下側の切断線５の全部、及び、上側の切断線５の一部を、表てシート部１の裏側に配設するも良い。また、２本の切断線５，５の全部を、表てシート部１の裏側に配設するも良い。すなわち、裏シート部２の延伸部４以外の部分に切断線５を設けるも良い。この場合、（正面視に於ける）外観を良くすることができる。
【００１５】
以上のように、本考案は、細長状の表てシート部１と裏シート部２にて上方開口袋状とした箸袋に於て、裏シート部２に、平行な２本の切断線５，５によって箸Ｃを保持するための箸保持用帯部６が形成されているので、箸Ｃの収納状態に於ける姿勢を安定させることができる。特に、二本箸Ｎがばらけるのを防止しつつ、二本箸Ｎを収納することができる。
【００１６】
また、細長状の表てシート部１と裏シート部２から成り、裏シート部２が表てシート部１の上端縁３よりも上方へ延伸状の延伸部４を有するように上方開口袋状とした箸袋に於て、延伸部４に、平行な２本の切断線５，５によって箸Ｃを保持するための箸保持用帯部６が形成されているので、箸Ｃの収納状態に於ける姿勢を安定させることができる。特に、二本箸Ｎがばらけるのを防止しつつ、二本箸Ｎを収納することができる。また、従来の箸袋を製造する機械を使用しつつ、２本の切断線５，５を形成することにより、新たな設備コストを最小限に押さえることができる。
【００１７】
また、切断線５が長手方向に対して垂直なので、箸Ｃを容易に差込むことができる。
また、２本の切断線５，５の間隔寸法Ｗを、５mm≦Ｗ≦15mmに設定したので、収納状態での箸Ｃの姿勢が安定する。特に、二本箸Ｎを収納しても、二本箸Ｎの姿勢が安定し、ぐらついたり抜け落ちたりすることを防止することができる。さらに、箸Ｃを容易に差込むことができる。
【図面の簡単な説明】
【００１８】
【図１】第１の実施の形態の使用状態を示す正面図である。
【図２】図１のＡ−Ａ断面側面図である。
【図３】図１の平面図である。
【図４】正面図である。
【図５】第２の実施の形態を示す正面図である。
【符号の説明】
【００１９】
１  表てシート部
２  裏シート部
３  上端縁
４  延伸部
５  切断線
６  箸保持用帯部
Ｃ  箸
Ｗ  間隔寸法
【図１】
0003121043.tif 000003
【図２】
0003121043.tif 000004
【図３】
0003121043.tif 000005
【図４】
0003121043.tif 000006
【図５】
0003121043.tif 000007